(57)【要約】【課題】回路基板が発する磁気ノイズを遮断して、より高精度にて入力手段からの磁気信号を取得できる電気光学パネル、電気光学装置および電磁誘導センサを提供すること。【解決手段】この電気光学パネル１Ａは、入力手段Ｐが情報の入力時にて発する磁気信号を、電磁誘導センサ４３にて取得して情報を検知する電磁誘導式の電気光学パネルである。電気光学パネル１Ａは、表示部２と、電磁誘導センサ４３と、シールド４２と、回路基板４１ｂとを有する。表示部２は、情報を入力する情報入力画面を表示する表示面２ａを有する。電磁誘導センサ４３は、表示面２ａの背面側に配置されて、入力手段Ｐが表示面２ａ上にて発する磁気信号を取得する。シールド４２は、磁界遮断材料から成り、電磁誘導センサ４３の背面側を覆って配置される。回路基板４１ｂは、シールド４２の背面側に配置される。【選択図】      図１
2004272365.tif 000002
【特許請求の範囲】
【請求項１】
入力手段が情報の入力時にて発する磁気信号を、電磁誘導センサにて取得して情報を検知する電磁誘導式の電気光学パネルにおいて、
情報を入力する情報入力画面を表示する表示面を有する表示部と、
前記入力手段が前記表示面上にて発する磁気信号を取得すると共に、前記表示面の背面側に配置される電磁誘導センサと、
磁界遮断材料から成ると共に、前記電磁誘導センサの背面側を覆って配置されるシールドと、
前記シールドの背面側に配置される回路基板と、
を含み構成される電気光学パネル。
【請求項２】
さらに、前記電磁誘導センサと、前記シールドと、前記回路基板とは、積層されて一体化される請求項１に記載の電気光学パネル。
【請求項３】
さらに、前記電磁誘導センサと、前記シールドと、前記回路基板とは、形態上、単一の略フィルム構造を有する請求項２に記載の電気光学パネル。
【請求項４】
前記電磁誘導センサのＩＣチップは、前記表示部上に配置される請求項１〜３のいずれか１つに記載の電気光学パネル。
【請求項５】
前記電磁誘導センサのＩＣチップは、前記回路基板上であって前記シールドの背面側に配置される請求項１〜３のいずれか１つに記載の電気光学パネル。
【請求項６】
請求項１〜５のいずれか１つに記載の電気光学パネルを含み構成される電気光学装置。
【請求項７】
入力手段が情報の入力時にて発する磁気信号を、電磁誘導センサにて取得して情報を検知する電磁誘導式の電気光学パネルの製造方法において、
情報を入力する情報入力画面を表示する表示面を有する表示部を形成し、
前記入力手段が前記表示面上にて発する磁気信号を取得する電磁誘導センサを前記表示面の背面側に配置し、
磁界遮断材料から成るシールドを前記電磁誘導センサの背面側を覆って配置し、
前記シールドの背面側に回路基板を配置する、
ことを特徴とする電気光学パネルの製造方法。
【請求項８】
請求項７に記載の電気光学パネルの製造方法を用いることを特徴とする電気光学装置の製造方法。
【請求項９】
入力手段が情報の入力時にて発する磁気信号を取得して、前記情報を検知する電磁誘導方式センサにおいて、
前面側を、情報を入力する情報入力画面を表示する表示面を有する表示部の背面側に向けて配置され、
背面側を、磁界遮断材料から成るシールドに被覆されると共に、前記シールドの背面側に回路基板を配置され、且つ、
前記入力手段が前記表示面上にて発する磁気信号を取得することを特徴とする電磁誘導センサ。
【請求項１０】
請求項６に記載の電気光学装置を含むことを特徴とする電子機器。
【発明の詳細な説明】
【０００１】
【発明の属する技術分野】
この発明は、電気光学パネル、電気光学装置および電磁誘導センサ、並びに電子機器に関し、さらに詳しくは、回路基板が発する磁気ノイズを遮断して、より高精度にて入力手段からの磁気信号を取得できる電気光学パネル、電気光学装置、電気光学パネルの製造方法、電気光学装置の製造方法および電磁誘導センサ、並びに電子機器に関する。
【０００２】
【従来の技術】
タッチペン等の入力手段を用いて表示面から情報を入力するタッチパネル式の電気光学パネルには、近年、電磁誘導式の電気光学パネルが知られている。かかる電気光学パネルでは、タッチペン側にコイルと蓄電池とを設けて、光学パネル裏側に設けられたセンサに電流を流すと磁界が発生し、コイル入りのペンとの間に電磁誘導が起こる。その結果発生した電流は蓄電池に蓄えられ、センサの電流を止めると逆にそのコイルが発生する磁界をタブレットセンサにて取得して、タッチペンの位置や軌跡を検知する。電磁誘導式を採る従来の電気光学パネルには、例えば、特許文献１に記載される技術が知られている。
【０００３】
【特許文献１】
特開２００２−１０７６９７号公報
【０００４】
【発明が解決しようとする課題】
しかしながら、従来の電気光学パネルでは、液晶表示部の回路基板が発する磁気ノイズによるタブレットセンサの影響を何ら考慮していなかった。
【０００５】
そこで、この発明は、上記に鑑みてなされたものであって、回路基板が発する磁気ノイズを遮断して、より高精度にて入力手段からの磁気信号を取得できる電気光学パネル、電気光学装置、電気光学パネルの製造方法、電気光学装置の製造方法および電磁誘導センサ、並びに電子機器を提供することを目的とする。
【０００６】
【課題を解決するための手段】
上記の目的を達成するために、この発明にかかる電気光学パネルは、入力手段が情報の入力時にて発する磁気信号を、電磁誘導センサにて取得して情報を検知する電磁誘導式の電気光学パネルにおいて、情報を入力する情報入力画面を表示する表示面を有する表示部と、前記入力手段が前記表示面上にて発する磁気信号を取得すると共に、前記表示面の背面側に配置される電磁誘導センサと、磁界遮断材料から成ると共に、前記電磁誘導センサの背面側を覆って配置されるシールドと、前記シールドの背面側に配置される回路基板とを含み構成される。
【０００７】
この発明では、表示面と、電磁誘導センサと、シールドと、回路基板とを、この順にて積層する。そして、電磁誘導センサの背面側をシールドで覆って構成した。この構成において、シールドは、電磁誘導センサと回路基板との間に介在して、回路基板が発する磁気ノイズを遮断する。これにより、電磁誘導センサが、回路基板からの磁気ノイズの影響を受けないので、より高精度にて入力手段からの磁気信号を取得できる利点がある。なお、入力手段には、例えば、タッチペンが含まれる。また、電磁誘導センサには、例えば、タブレットセンサが含まれる。また、表示部は、液晶表示部の表示部であっても良いし、その他の電気光学パネルの表示部であっても良い。また、磁界遮断材料とは、磁界の透過を遮断する材料であり、例えば、銅が該当する。また、回路基板には、電気光学パネルの回路素子を有する基板の他、電気光学装置の回路基板が含まれる。
【０００８】
また、この発明にかかる電気光学パネルは、さらに、前記電磁誘導センサと、前記シールドと、前記回路基板とは、積層されて一体化される。
【０００９】
この発明では、電磁誘導センサと、シールドと、回路基板とを、この順に積層して一体化した。これにより、電気光学パネルを薄型化できる利点がある。
【００１０】
また、この発明にかかる電気光学パネルは、さらに、前記電磁誘導センサと、前記シールドと、前記回路基板とは、形態上、単一の略フィルム構造を有する。
【００１１】
この発明では、電磁誘導センサと、シールドと、回路基板とを、この順に積層して一体化し、且つ、これらを形態上、単一の略フィルム構造とした。これにより、電気光学パネルの組立工程にて、これらの位置ずれを防止できる利点がある。
【００１２】
また、この発明にかかる電気光学パネルは、前記電磁誘導センサのＩＣチップは、前記表示部上に配置される。
【００１３】
この発明では、電磁誘導センサのＩＣチップを、表示部上に設ける。これにより、電気光学パネルの構成を簡素化できる利点がある。
【００１４】
また、この発明にかかる電気光学パネルは、前記電磁誘導センサのＩＣチップは、前記回路基板上であって前記シールドの背面側に配置される。
【００１５】
この発明では、電磁誘導センサのＩＣチップを、回路基板上であってシールドの背面側に配置する。この構成において、シールドは、電磁誘導センサとそのＩＣチップとの間に介在して、ＩＣチップが発する電磁ノイズを遮断する。これにより、電磁誘導センサが、そのＩＣチップからの磁気ノイズの影響を受けないので、より高精度にて入力手段からの磁気信号を取得できる利点がある。
【００１６】
また、この発明にかかる電気光学装置は、上記いずれか１つに記載の電気光学パネルを含み構成される。
【００１７】
また、この発明にかかる電気光学パネルの製造方法は、入力手段が情報の入力時にて発する磁気信号を、電磁誘導センサにて取得して情報を検知する電磁誘導式の電気光学パネルの製造方法において、情報を入力する情報入力画面を表示する表示面を有する表示部を形成し、前記入力手段が前記表示面上にて発する磁気信号を取得する電磁誘導センサを前記表示面の背面側に配置し、磁界遮断材料から成るシールドを前記電磁誘導センサの背面側を覆って配置し、前記シールドの背面側に回路基板を配置する、ことを特徴とする。
【００１８】
また、この発明にかかる電気光学装置の製造方法は、上記電気光学パネルの製造方法を用いることを特徴とする。
【００１９】
これらの発明では、表示面と、電磁誘導センサと、シールドと、回路基板とを、この順にて積層し、そして、電磁誘導センサの背面側をシールドで覆って電気光学パネルを製造する。この構成によれば、シールドは、電磁誘導センサと回路基板との間に介在して、回路基板が発する磁気ノイズを遮断できる。これにより、電磁誘導センサが、回路基板からの磁気ノイズの影響を受けないので、より高精度にて入力手段からの磁気信号を取得できる電気光学パネルおよびこれを備えた電気光学装置を提供できる。
【００２０】
また、この発明にかかる電磁誘導センサは、入力手段が情報の入力時にて発する磁気信号を取得して、前記情報を検知する電磁誘導方式センサにおいて、前面側を、情報を入力する情報入力画面を表示する表示面を有する表示部の背面側に向けて配置され、背面側を、磁界遮断材料から成るシールドに被覆されると共に、前記シールドの背面側に回路基板を配置され、且つ、前記入力手段が前記表示面上にて発する磁気信号を取得する。
【００２１】
また、この発明にかかる電子機器は、上記の電気光学装置を含むことを特徴とする。これにより、上記の電気光学装置が備える電磁誘導センサは、回路基板からの磁気ノイズの影響を受けないので、より高精度にて入力手段からの磁気信号を取得できる電子機器を提供できる。
【００２２】
【発明の実施の形態】
以下、この発明につき図面を参照しつつ詳細に説明する。なお、この実施の形態によりこの発明が限定されるものではない。また、以下に示す実施の形態の構成要素には、当業者が置換可能且つ容易なもの、或いは実質的同一のものが含まれる。
【００２３】
（実施の形態）
図１は、この発明の実施の形態にかかる電気光学パネルを示す斜視図である。図２は、図１に記載した電気光学パネルを示す側面断面図である。この電気光学パネル１は、電磁誘導式のタッチパネルであり、筐体（図示省略）内に収容されて電気光学装置の一部を構成する。また、電気光学パネル１は、液晶表示部２と、バックライト３と、基板４Ａとを含み構成される。これらは、この順にて積層されて一体化され、液晶表示装置を構成する。液晶表示部２は、一対のガラス基板２１，２２を対向して貼り合わせると共に、これらのガラス基板２１，２２間に液晶材料を封入し、偏光板（図示省略）を貼り付けて成る。上側ガラス基板２１は、その表面にて液晶表示部２の表示面２ａを構成する。この表示面２ａは、外部からの情報入力にあたり情報入力画面を表示すると共に、タッチペンＰに対してタッチパネルの入力面を構成する。下側ガラス基板２２は、クロム等の金属による配線パターンが存在し、その配線から信号入力される。バックライト３は、略板状構造を有し、液晶表示部２の背面側２ｂに配置されて、液晶表示部２に光を供給する。
【００２４】
図３は、図１および図２に記載した基板を示す平面図（ａ）、背面図（ｂ）および側面断面図（ｃ）である。基板４Ａは、ＰＣＢ基板（Ｐｒｉｎｔｅｄ  Ｃｉｒｃｕｉｔ  Ｂｏａｒｄ基板：プリント基板）４１と、シールド４２と、電磁誘導センサであるタブレットセンサ４３とを含み構成され、これらを積層して形成される。基板４Ａは、全体としては、液晶パネル２に対して略合同な板状形状を有し、バックライト３の背面側に配置される。これにより、液晶表示部２と、バックライト３と、基板４Ａとは、積層されて略箱型形状を有する（図１参照）。なお、基板４Ａの背面側には、さらに、電気光学装置が有する任意の回路基板（図示省略）が設置される場合がある。ＰＣＢ基板４１は、絶縁部４１ａと、駆動回路４１ｂとを含み構成され、液晶表示部２の回路基板を構成する。絶縁部４１ａは、プラスチップ材から成り、液晶表示部２に対して略合同な板状形状を有する。駆動回路４１ｂは、印刷された電気回路および実装された電子部品から成り、絶縁部４１ａの下面側４１ｃ、すなわち、バックライト３側とは反対側の面に形成される。また、ＰＣＢ基板４１は、その縁部から延出されて湾曲し、バックライト３の側方から液晶表示部２の下側ガラス基板２２上に達する湾曲部４１ｄを備える。ＰＣＢ基板４１は、この湾曲部４１ｄにて下側ガラス基板２２の配線縁部に貼り付けられ、電気的に接続する。また、ＰＣＢ基板４１は、その角部から延出された接続部４１ｅを備える。ＰＣＢ基板４１は、この接続部４１ｅにて電気光学装置側の回路基板（図示省略）に電気的に接続される。
【００２５】
シールド４２は、銅、アルミ合金その他の金属材料から成り、磁界遮断特性を有する。また、シールド４２は、ＰＣＢ基板４１の上面側４２ｆ、すなわち液晶表示部２側に設置され、ＰＣＢ基板４１の回路部分４１ｂの略全面を覆う。これにより、シールド４２は、少なくとも液晶表示部２の表示面２ａと、ＰＣＢ基板４１の駆動回路４１ｂとの間に介在して、これらを磁気的に遮断する。なお、シールド４２は、▲１▼塗布もしくは印刷によりＰＣＢ基板４１上に膜状に形成されても良いし、▲２▼板状構造を有すると共にＰＣＢ基板４１上に糊、もしくは熱圧着により貼り付けて設置されて良いし、▲３▼後述する変形例１に記載する構成としても良いし、▲４▼その他当業者自明の手法により形成されても良い。
【００２６】
タブレットセンサ４３は、複数のコイルを並べて形成されたセンサコイル群（図示省略）から成り、タッチペンＰに対して電磁誘導式タッチパネルのセンサを構成する。また、タブレットセンサ４３は、シールド４２上の液晶表示部２側に積層され、その上面をバックライト２の背面に付けて配置される。これにより、タブレットセンサ４３は、ＰＣＢ基板４１との間にシールド４２を挟み込み、このシールド４２によりＰＣＢ基板４１の駆動回路４１ｂに対して磁気的に遮断される。また、タブレットセンサ４３は、そのセンサコイル群を液晶表示部２の表示面２ａに対向させて設置される。なお、タブレットセンサ４３のセンサコイル群は、シールド４２に対して絶縁される。例えば、タブレットセンサ４３は、▲１▼センサコイル群をプラスチックシート上に配置もしくは印刷して形成され、このプラスチックシートを介してシールド４２上に設置されても良いし、▲２▼シールド４２の表面に絶縁膜を形成し、この絶縁膜上にセンサコイル群を配置もしくは印刷して形成されても良いし、▲３▼後述する変形例１に記載する構成としても良いし、▲４▼その他当業者自明の手法により形成されても良い。また、タブレットセンサ４３は、ＰＣＢ基板４１の角部から延出されて、電気光学装置側の回路基板（図示省略）に電気的に接続される。
【００２７】
この電気光学パネル１において、タッチペンＰによる情報入力にあたり、液晶表示部２は、その表示面２ａに情報入力画面を表示する。このとき、タブレットセンサ４３が、センサコイル群に短い時間だけ交流電流を流して所定の磁界を発生させる。一方、タッチペンＰは、内部にコイルとコンデンサとを有する（図示省略）。そして、このタッチペンＰを液晶表示部２の表示面２ａに接触させつつ、文字や図形を描いて情報を入力する。すると、タッチペンＰは、タブレットセンサ４３の磁界を受けてコイルに誘導電流を生じ、この誘導電流によりコンデンサに電気を蓄える。そして、タッチペンＰは、蓄えた電気を源としてコイルに電流を生じさせ、タブレットセンサ４３側のセンサコイル群に誘導電流を生じさせる。タブレットセンサ４３は、この誘導電流によりタッチペンＰの位置および軌跡を判断し、入力された文字や図形を認識する。これにより、タッチペンＰを用いた情報入力が可能となる。
【００２８】
ここで、ＰＣＢ基板４１は、表示パネル２の駆動時にて駆動回路から磁界ノイズを発する。シールド４２は、液晶表示部２とＰＣＢ基板４１の駆動回路４１ｂとの間に介在して、この磁界ノイズを、液晶表示部２上のタッチペンＰに対して遮断する。これにより、駆動回路４１ｂからタッチペンＰへの磁界ノイズを遮断できる利点がある。また、シールド４２は、タブレットセンサ４３とＰＣＢ基板４１の駆動回路４１ｂとの間に介在して、ＰＣＢ基板４１からの磁界ノイズを、タブレットセンサ４３のセンサコイル群に対して遮断する。これにより、駆動回路４１ｂからタブレットセンサ４３への磁界ノイズを遮断できる利点がある。これらにより、外乱となる磁界ノイズを抑制できるで、タッチペンＰが発する磁気信号の取得精度を高められる利点がある。特に、従来の電気光学パネルのように、液晶表示部の回路基板がタブレットセンサの側方に設けられ、且つ、シールドが設けられていない構成と比較して、この電気光学パネル１は、極めて高い精度にて、タッチペンからの磁気信号を取得できる利点がある。
【００２９】
また、この電気光学パネル１では、ＰＣＢ基板４１、シールド４２およびタブレットセンサ４３が基板４Ａとして一体化され、液晶表示部２およびバックライト３と共に積層される。これにより、これらを別構成とする場合と比較して、電気光学パネル１を薄型化もしくは小型化できる利点がある。特に、タブレットセンサ４３は、薄いセンサコイル群から成るので、剛性が低く湾曲し易い。この点において、この電気光学パネル１では、タブレットセンサ４３がＰＣＢ基板４１等と一体化されるので、基板４Ａ全体としての剛性が高い。これにより、タブレットセンサ４３の湾曲が抑制されるので、センサコイル群の位置ずれが防止されて、センサの検知精度が高められる利点がある。
【００３０】
（変形例１）
図４は、この実施の形態の変形例１にかかる電気光学パネルの基板を示す側面断面図である。同図において、上記実施の形態と同一の構成要素には同一の符号を付し、その説明を省略する。この電気光学パネルの基板４Ｂは、基板４Ａと比較して、▲１▼ＰＣＢ基板４５を薄型のフィルム状とした点、▲２▼タブレットセンサ４６を薄型のフィルム状とした点、並びに、▲３▼ＰＣＢ基板４５、シールド４２およびタブレットセンサ４６を積層して成る単一のフィルム状構造を有する点に特徴を有する。以下、これらの特徴について、順次説明する。
【００３１】
まず、▲１▼ＰＣＢ基板４５は、薄型のプラスチックフィルム内に駆動回路４１ｂを形成されたフレキシブル基板である。その形状、配置、ならびに、液晶表示部２および外部の回路基板との接続構造は、基板４Ａと同様である。次に、▲２▼タブレットセンサ４６は、薄型のプラスチックフィルム内にセンサコイル群を形成されたフレキシブル基板である。そして、▲３▼ＰＣＢ基板４５、シールド４２およびタブレットセンサ４６は、この順に積層されて熱圧着され、三層構造を有する単一のフィルム状基板として形成される。ここで、シールド４２は、ＰＣＢ基板４５またはタブレットセンサ４６上に、印刷、蒸着、薄膜貼付その他の薄膜形成法により形成され、ＰＣＢ基板４５およびタブレットセンサ４６間に挟まれて積層される。なお、これらは、ＰＣＢ基板４５およびタブレットセンサ４６のプラスチックフィルムにより、相互に絶縁状態にある。
【００３２】
この変形例１によれば、基板４Ｂを単一のフィルム状構造物としたので、例えば、個々の構成要素４１〜４３を糊付けして積層する場合と比較して、電気光学パネルをより薄型化できる利点がある。また、併せて、電気光学パネル１の組立にあたり、部品点数を低減できる利点がある。また、ＰＣＢ基板４５、シールド４２およびタブレットセンサ４６を一体として設計できるので、これらを個々に設計する場合と比較して、電気光学パネルの設計を容易にできる利点がある。また、基板４Ｂを、形態上、単一のフィルム状部材として取扱えるので、電気光学パネル１の組立にあたり厚み方向の公差を小さくできる利点がある。すなわち、ＰＣＢ基板４５、シールド４２およびタブレットセンサ４６が別構成の場合には、各部材にそれぞれ厚みがあるため、公差の総和が大きくなる。この基板４Ｂを用いた電気光学パネルによれば、基板Ｂに関しては一の公差のみを考慮すればよいので、かかる問題点を解消できる点で有益である。また、従来の電気光学パネルでは、その組立において、ＰＣＢ基板とタブレットセンサとの位置関係を規制するために多大な労力を払っていた（特許文献１参照）。この点において、この電気光学パネルでは、ＰＣＢ基板４５とタブレットセンサ４６とを、組立当初から単一のフィルム状構造物として一体形成するので、組立時におけるこれらの位置ずれを未然に防止できる利点がある。特に、電気光学パネル１では、組立後の製品チェック段階にてＰＣＢ基板とタブレットセンサとの位置ずれが発見されると、製品全体を廃棄せざるを得ない。したがって、かかる障害を未然に排除できる点で、この電気光学パネル１は、特に有益である。
【００３３】
（変形例２）
図５は、実施の形態の変形例２にかかる電気光学パネルの要部を示す平面図（ａ）および側面図（ｂ）である。同図において、上記実施の形態と同一の構成要素には同一の符号を付し、その説明を省略する。この電気光学パネルでは、電気光学パネル１Ａと比較して、液晶表示部２を駆動するＩＣチップ５およびタブレットセンサ４３を駆動するＩＣチップ６を、いずれも液晶表示部２上に配置したことを特徴とする。ここで、ＩＣチップ６は、下側ガラス基板２２上に形成されたＩＴＯ膜６１に対して実装され、このＩＴＯ膜６１、ならびに基板４Ａの湾曲部４１ｄに形成された端子（図示省略）を介して、タブレットセンサ４１に電気的に接続される。従来の電気光学パネルでは、タブレットセンサ４３のＩＣチップ６が、電気光学パネルの外部に設置されていた。このため、電気光学パネルの設計にあたり、ＩＣチップの配置を別個の部品の設計にて行う必要があった。この点において、この電気光学パネルでは、タブレットセンサ４３のＩＣチップ６を液晶表示部２上に設けたので、ＩＣチップ６の配置を電気光学パネルの設計にて一時に行える利点がある。なお、この変形例２は、変形例１の電気光学パネル１Ｂに適用しても良い。
【００３４】
（変形例３）
図６は、実施の形態の変形例３にかかる電気光学パネルの要部を示す背面図（ａ）および側面図（ｂ）である。同図において、上記実施の形態および変形例２と同一の構成要素には同一の符号を付し、その説明を省略する。この電気光学パネルでは、電気光学パネル１Ａと比較して、液晶表示部２を駆動するＩＣチップ５およびタブレットセンサ４３を駆動するＩＣチップ６を、いずれも基板４Ａの背面側に配置したことを特徴とする。この変形例３によれば、タブレットセンサ４３のＩＣチップ６を、基板４Ａ上に設けたので、ＩＣチップ６の配置を電気光学パネルの設計にて一時に行える利点がある。また、ＩＣチップ５，６が、液晶表示部２の表示面２ａおよびタブレットセンサ４３に対してシールド４２を隔てた位置に設けられるので、タッチペンＰによる情報入力にあたり、ＩＣチップ５，６の磁気ノイズによる影響を低減できる利点がある。
【００３５】
また、この変形例３において、基板４Ａ上に、さらに多くの実装部品を設けたい場合には、絶縁部４１ａを延長して折り曲げ、この上に駆動回路４１ｂを追加して設置しても良い（図７参照）。かかる構成とすれば、図７に示すように、延長して折り曲げた部分４７ｂにも駆動回路４１ｂを形成できるので、より多くの部品を設置できる利点がある。なお、この変形例３は、変形例１および変形例２の電気光学パネルに適用しても良い。
【００３６】
なお、上述した実施形態および変形例１〜３では、電気光学装置の一例として、液晶表示装置について説明したが、本発明はこれに限定されず、例えば、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、ＤＭＤ（デジタルマイクロミラーデバイス）を用いた装置であってもよい。また、携帯電話機、ＰＤＡ（Ｐｅｒｓｏｎａｌ  Ｄｉｇｉｔａｌ  Ａｓｓｉｓｔａｎｔｓ）と呼ばれる携帯型情報機器や携帯型パーソナルコンピュータ、パーソナルコンピュータ、デジタルスチルカメラ、車載用モニタ、デジタルビデオカメラ、液晶テレビ、ビューファインダ型、液晶プロジェクタ、モニタ直視型のビデオテープレコーダ、カーナビゲーション装置、ページャ、電子手帳、電卓、ワードプロセッサ、ワークステーション、テレビ電話機、ＰＯＳ端末機などの電子機器に適用してもよい。
【図面の簡単な説明】
【図１】実施の形態にかかる電気光学パネルを示す斜視図である。
【図２】図１に記載した電気光学パネルを示す側面断面図である。
【図３】基板の平面図（ａ）、背面図（ｂ）、側面断面図（ｃ）である。
【図４】変形例１の電気光学パネルの基板を示す側面断面図である。
【図５】変形例２の電気光学パネルの平面図（ａ）および側面図（ｂ）。
【図６】変形例３の電気光学パネルの背面図（ａ）および側面図（ｂ）。
【図７】変形例３の電気光学パネルの側面図である。
【符号の説明】
１Ａ  電気光学パネル、２  表示部、４３  タブレットセンサ、４２  シールド、４１ｂ  回路基板、Ｐ  タッチペン
【図１】
2004272365.tif 000003
【図２】
2004272365.tif 000004
【図３】
2004272365.tif 000005
【図４】
2004272365.tif 000006
【図５】
2004272365.tif 000007
【図６】
2004272365.tif 000008
【図７】
2004272365.tif 000009